(57)【特許請求の範囲】
【請求項１】
各フロアの病室内に設置されるナースコール子機（１ａ、１ｂ、・・・、２ａ、２ｂ、・・・、３ａ、３ｂ、・・・、４ａ、４ｂ、・・・）を子機幹線（Ｌ1a、Ｌ2a、Ｌ3a、Ｌ4a）を経由しナースコール制御機（４１）を介してナースセンター内に設置されるナースコール親機（１１、１２、１３、１４）に接続し、前記ナースコール制御機をデジタル接続線（Ｌ10）を経由しデジタル交換機（４０）を介して前記各フロアを巡回中の看護婦によって携帯されるハンディナース端末（２１ａ、２１ｂ、・・・、２２ａ、２２ｂ、・・・、２３ａ、２３ｂ、・・・、２４ａ、２４ｂ、・・・）に接続し、前記子機幹線毎に前記フロアと前記ナースコール子機、前記ナースコール親機、前記ハンディナース端末とを割り当てて、前記ナースコール子機と前記ナースコール親機、前記ハンディナース端末との間で呼び出し・通話を可能とするナースコール装置であって、
前記ナースコール制御機には、前記子機幹線のそれぞれを担当する前記ハンディナース端末の番号データを記録するためのテーブル（４１ｄ）と、前記ハンディナース端末からの出力信号に付加される前記番号データに対応して前記テーブルから読み出される前記子機幹線に割り当てられた前記フロアの前記ナースコール子機に接続し、一斉放送の内容を鳴動させる音声報知機能を能動とするためのＣＰＵ（４１ｃ）とを備えたことを特徴とするナースコール装置。
【発明の詳細な説明】
【０００１】
【発明の属する技術分野】
本発明はナースコール装置に係り、特に、看護婦によって携帯されるハンディナースから担当するフロアへの一斉放送を可能としたナースコール装置に関する。
【０００２】
【従来の技術】
従来から、この種のナースコール装置として、図４のシステム構成図に示すナースコール装置が提案されている。
【０００３】
同図に示すナースコール装置において、病院内の所定のエリア、ここでは、１階、２階、３階、４階のフロア毎の病室内に設置されるナースコール子機５１ａ、５１ｂ、・・・、５２ａ、５２ｂ、・・・、５３ａ、５３ｂ、・・・、５４ａ、５４ｂ、・・・には、アナログ接続線をなす子機幹線Ｌ51a、Ｌ52a、Ｌ53a、Ｌ54aをそれぞれ介してナースコール制御機９１が接続されており、このナースコール制御機９１には、アナログ接続線をなす親機接続線Ｌ51b、Ｌ52b、Ｌ53b、Ｌ54bをそれぞれ介してフロア毎のナースセンター内に設置されるナースコール親機６１、６２、６３、６４が接続されているとともに、デジタル接続線をなす交換機接続線Ｌ60を介してデジタル交換機９０が接続されている。
【０００４】
また、デジタル交換機９０には、アナログ接続線をなす基地局接続線Ｌ51c、Ｌ52c、Ｌ53c、Ｌ54cをそれぞれ介してフロア毎の無線基地局８１、８２、８３、８４が接続されており、この無線基地局８１、８２、８３、８４は、各フロアを巡回中の看護婦によって携帯されるハンディナース端末７１ａ、７１ｂ、・・・、７２ａ、７２ｂ、・・・、７３ａ、７３ｂ、・・・、７４ａ、７４ｂ、・・・をそれぞれ無線制御（信号処理等）することができる。
【０００５】
また、ナースコール制御機９１には、図５のブロック図に示すように、子機幹線Ｌ51a、Ｌ52a、Ｌ53a、Ｌ54aに接続された主制御部９１ａと、交換機接続線Ｌ60をなす制御データ伝送チャンネルＬ60aおよび音声データ伝送チャンネルＬ60b、Ｌ60c、Ｌ60d、Ｌ60eに接続されたインターフェース（以下、Ｉ／Ｆと称す）９１ｂと、Ｉ／Ｆ９１ｂに接続されたＣＰＵ９１ｃとが備えられている。
【０００６】
さらに、ナースコール制御機９１のＩ／Ｆ９１ｂは、交換機接続線Ｌ60をなす音声データ伝送チャンネルＬ60b、Ｌ60c、Ｌ60d、Ｌ60eと親機接続線Ｌ51b、Ｌ52b、Ｌ53b、Ｌ54bとをフロア毎に接続して信号伝送ラインをそれぞれ形成することができるとともに、主制御部９１ａも同様に、子機幹線Ｌ51a、Ｌ52a、Ｌ53a、Ｌ54aと親機接続線Ｌ51b、Ｌ52b、Ｌ53b、Ｌ54bとをフロア毎に接続して信号伝送ラインをそれぞれ形成することができる。
【０００７】
このように構成された従来例のナースコール装置において、図４のシステム構成図に示すように、病院内の所定のエリアとされる１階、２階、３階、４階の各フロアのうち、ハンディナース端末７１ａを携帯しながら１階のフロアを巡回中の看護婦が、一斉放送を行なうためにハンディナース端末７１ａの選択ボタン（図示せず）の操作に基づいて一斉放送の起動を示すパラメータを入力すると、入力されたパラメータ（以下、一斉放送起動パラメータと称す）とハンディナース端末７１ａに予め割り当てられているハンディナース端末番号データとを付加した一斉放送起動信号が、無線基地局８１、基地局接続線Ｌ51c、デジタル交換機９０、図５のブロック図に示す交換機接続線Ｌ60をなす制御データ伝送チャンネルＬ60a、ナースコール制御機９１のＩ／Ｆ９１ｂを介してＣＰＵ９１ｃに伝送される。
【０００８】
ナースコール制御機９１のＣＰＵ９１ｃは、ハンディナース端末７１ａからの一斉放送起動信号に付加されている一斉放送起動パラメータおよびハンディナース端末番号データに基づいてハンディナース端末７１ａからの一斉放送を検出し、交換機接続線Ｌ60をなす音声データ伝送チャンネルＬ60b、Ｌ60c、Ｌ60d、Ｌ61eと親機接続線Ｌ51b、Ｌ52b、Ｌ53b、Ｌ54bとの間の信号伝送ラインをそれぞれ形成させるためにＩ／Ｆ９１ｂを制御するとともに、その旨の制御信号を、Ｉ／Ｆ９１ｂ、交換機接続線Ｌ60をなす制御データ伝送チャンネルＬ60aを介してデジタル交換機９０に送出する。
【０００９】
また、ナースコール制御機９１のＩ／Ｆ９１ｂは、ＣＰＵ９１ｃからの一斉放送起動信号を、親機接続線Ｌ51b、Ｌ52b、Ｌ53b、Ｌ54b、主制御部９１ａ、全てのフロアに該当した子機幹線Ｌ51a、Ｌ52a、Ｌ53a、Ｌ54aをそれぞれ介してナースコール子機５１ａ、５１ｂ、・・・、５２ａ、５２ｂ、・・・、５３ａ、５３ｂ、・・・、５４ａ、５４ｂ、・・・と親機接続線Ｌ51b、Ｌ52b、Ｌ53b、Ｌ54bをそれぞれ介してナースコール親機６１、６２、６３、６４とに送出する。
【００１０】
さらに、ナースコール制御機９１のＣＰＵ９１ｃからの一斉放送起動信号を検出したナースコール子機５１ａ、５１ｂ、・・・、５２ａ、５２ｂ、・・・、５３ａ、５３ｂ、・・・、５４ａ、５４ｂ、・・・およびナースコール親機６１、６２、６３、６４のうち、ナースコール子機５１ａ、５１ｂ、・・・、５２ａ、５２ｂ、・・・、５３ａ、５３ｂ、・・・、５４ａ、５４ｂ、・・・では、スピーカ（図示せず）にて一斉放送の内容を鳴動させるための音声報知機能をそれぞれ能動とする、一方、ナースコール親機６１、６２、６３、６４では、上述の一斉放送起動信号が自親機宛ての信号として有効でないとそれぞれ判断（詳述せず）することにより、音声報知機能は非能動のまま保持される。
【００１１】
この後、ハンディナース端末７１ａを携帯しながら１階のフロアを巡回中の看護婦が、一斉放送の内容をマイク（図示せず）を介して入力すると、電気信号に信号変換処理された音声信号が、無線基地局８１、基地局接続線Ｌ51c、デジタル交換機９０、図５のブロック図に示す交換機接続線Ｌ60をなす音声データ伝送チャンネルＬ60bを介してナースコール制御機９１のＩ／Ｆ９１ｂに伝送される。
【００１２】
また、ナースコール制御機９１のＩ／Ｆ９１ｂは、ハンディナース端末７１ａからの音声信号を、親機接続線Ｌ51b、Ｌ52b、Ｌ53b、Ｌ54b、主制御部９１ａ、子機幹線Ｌ51a、Ｌ52a、Ｌ53a、Ｌ54aをそれぞれ介してナースコール子機５１ａ、５１ｂ、・・・、５２ａ、５２ｂ、・・・、５３ａ、５３ｂ、・・・、５４ａ、５４ｂ、・・・と親機接続線Ｌ51b、Ｌ52b、Ｌ53b、Ｌ54bをそれぞれ介してナースコール親機６１、６２、６３、６４とに送出することにより、ハンディナース端末７１ａを携帯しながら１階のフロアを巡回中の看護婦からの一斉放送の内容が、全てのフロアの病室内に設置されたナースコール子機５１ａ、５１ｂ、・・・、５２ａ、５２ｂ、・・・、５３ａ、５３ｂ、・・・、５４ａ、５４ｂ、・・・のスピーカ（図示せず）にてそれぞれ鳴動される。
【００１３】
なお、ナースコール親機６１、６２、６３、６４では、音声報知機能が非能動に保持されていることにより、上述のような一斉放送の内容の鳴動は行なわれない。
【００１４】
【発明が解決しようとする課題】
しかしながら、従来のナースコール装置において、ハンディナース端末７１ａ、７１ｂ、・・・、７２ａ、７２ｂ、・・・、７３ａ、７３ｂ、・・・、７４ａ、７４ｂ、・・・から担当のフロアに一斉放送を行なおうとした場合、ナースコール制御機９１のＣＰＵ９１ｃでは、どのフロアに対しての一斉放送なのか判断することができず、全てのフロア、すなわち、全てのナースコール子機５１ａ、５１ｂ、・・・、５２ａ、５２ｂ、・・・、５３ａ、５３ｂ、・・・、５４ａ、５４ｂ、・・・に対しての一斉放送となってしまう難点があった。
【００１５】
また、上述の難点を解消するため、交換機接続線Ｌ60をなす音声データ伝送チャンネルＬ60b、Ｌ60c、Ｌ60d、Ｌ60eのうち、使用する当該音声データ伝送チャンネルと子機幹線Ｌ51a、Ｌ52a、Ｌ53a、Ｌ54aおよび親機接続線Ｌ51b、Ｌ52b、Ｌ53b、Ｌ54bの組み合わせを一意的にして、使用する当該音声データ伝送チャンネルの指定に基づいてフロアを指定する方法を行なおうとしても、デジタル交換機９０からの指定は制御機単位でのみの指定とされ、使用する当該音声データ伝送チャンネルを指定できず、どのフロアに一斉放送するかの指定が困難とされる難点があった。
【００１６】
本発明は、上述の難点を解消するためになされたもので、ナースコール子機に接続される子機幹線と担当のハンディナース端末とをフロア毎で割り当てることにより、ハンディナース端末から担当のフロアのみに一斉放送を行なうことができるナースコール装置を提供することを目的としている。
【００１７】
【課題を解決するための手段】
この目的を達成するため、本発明によるナースコール装置は、各フロアの病室内に設置されるナースコール子機を子機幹線を経由しナースコール制御機を介してナースセンター内に設置されるナースコール親機に接続し、ナースコール制御機をデジタル接続線を経由しデジタル交換機を介して各フロアを巡回中の看護婦によって携帯されるハンディナース端末に接続し、子機幹線毎にフロアとナースコール子機、ナースコール親機、ハンディナース端末とを割り当ててナースコール子機とナースコール親機、ハンディナース端末との間で呼び出し・通話を可能とするナースコール装置であって、ナースコール制御機には、子機幹線のそれぞれを担当するハンディナース端末の番号データを記録するためのテーブルと、ハンディナース端末からの出力信号に付加される番号データに対応してテーブルから読み出される子機幹線に割り当てられたフロアのナースコール子機に接続し、一斉放送の内容を鳴動させる音声報知機能を能動とするためのＣＰＵとを備えたことを特徴としている。
【００１８】
このようなナースコール装置によれば、各フロアの病室内に設置されたナースコール子機が接続される子機幹線のそれぞれを、各フロアを巡回中の看護婦によって携帯されたハンディナース端末からの呼び出しに応じて担当させることが可能となり、ハンディナース端末から担当のフロアのみに一斉放送を行なうことができる。
【００１９】
【発明の実施の形態】
以下、本発明によるナースコール装置を適用した好ましい形態の実施例について、図面を参照して説明する。
【００２０】
図１は、本発明の一実施例によるナースコール装置のシステム構成図であり、病院内の所定のエリアとして、１階、２階、３階、４階の各フロアの病室内にそれぞれ設置され呼出・呼出報知機能、一斉放送報知機能、通話機能等を有するナースコール子機１ａ、１ｂ、・・・、２ａ、２ｂ、・・・、３ａ、３ｂ、・・・、４ａ、４ｂ、・・・と、各フロアのナースセンター内にそれぞれ設置され呼出・呼出報知機能、通話機能等を有するナースコール親機１１、１２、１３、１４と、各フロアを巡回中の看護婦によって携帯され呼出・呼出報知機能、一斉放送機能、通話機能等を有するハンディナース端末２１ａ、２１ｂ、・・・、２２ａ、２２ｂ、・・・、２３ａ、２３ｂ、・・・、２４ａ、２４ｂ、・・・と、ハンディナース端末２１ａ、２１ｂ、・・・、２２ａ、２２ｂ、・・・、２３ａ、２３ｂ、・・・、２４ａ、２４ｂ、・・・をそれぞれ無線制御（信号処理等）するための無線基地局３１、３２、３３、３４と、アナログ接続線をなす基地局接続線Ｌ1c、Ｌ2c、Ｌ3c、Ｌ4cをそれぞれ介して接続された無線基地局３１、３２、３３、３４を制御するためのデジタル交換機４０と、アナログ接続線をなす子機幹線Ｌ1a、Ｌ2a、Ｌ3a、Ｌ4aをそれぞれ介してナースコール子機１ａ、１ｂ、・・・、２ａ、２ｂ、・・・、３ａ、３ｂ、・・・、４ａ、４ｂ、・・・、アナログ接続線をなす親機接続線Ｌ1b、Ｌ2b、Ｌ3b、Ｌ4bをそれぞれ介してナースコール親機１１、１２、１３、１４、デジタル接続線をなす交換機接続線Ｌ10を介してデジタル交換機４０を接続する中継器として設置され、ナースコール子機１ａ、１ｂ、・・・、２ａ、２ｂ、・・・、３ａ、３ｂ、・・・、４ａ、４ｂ、・・・、ナースコール親機１１、１２、１３、１４、デジタル交換機４０をそれぞれ制御（信号処理、通話路の選択等）するためのナースコール制御機４１とで構成されている。
【００２１】
また、ナースコール制御機４１には、図２のブロック図に示すように、子機幹線Ｌ1a、Ｌ2a、Ｌ3a、Ｌ4aに接続された主制御部４１ａと、交換機接続線Ｌ10をなす制御データ伝送チャンネルＬ10aおよび音声データ伝送チャンネルＬ10b、Ｌ10c、Ｌ10d、Ｌ10eに接続され、この音声データ伝送チャンネルＬ10b、Ｌ10c、Ｌ10d、Ｌ10eと親機接続線Ｌ1b、Ｌ2b、Ｌ3b、Ｌ4bとをフロア毎に接続して信号伝送ラインをそれぞれ形成するためのＩ／Ｆ４１ｂと、Ｉ／Ｆ４１ｂに接続され当該ナースコール制御機内の動作を制御するためのＣＰＵ４１ｃと、ＣＰＵ４１ｃにより制御され、子機幹線Ｌ1a、Ｌ2a、Ｌ3a、Ｌ4aのそれぞれを担当するハンディナース端末２１ａ、２１ｂ、・・・、２２ａ、２２ｂ、・・・、２３ａ、２３ｂ、・・・、２４ａ、２４ｂ、・・・の番号（ＩＤ）、ここでは、「０１」、「０２」、・・・、「１１」、「１２」、・・・、「２１」、「２２」、・・・、「３１」、「３２」、・・・を記録しておき当該ハンディナース端末からの呼び出しに応じて担当される当該子機幹線を介してナースコール子機１ａ、１ｂ、・・・、２ａ、２ｂ、・・・、３ａ、３ｂ、・・・、４ａ、４ｂ、・・・に接続してフロア毎に一斉放送するための図３のテーブル構成図に示すテーブル４１ｄとが備えられており、主制御部４１ａは、子機幹線Ｌ1a、Ｌ2a、Ｌ3a、Ｌ4aと親機接続線Ｌ1b、Ｌ2b、Ｌ3b、Ｌ4bとをフロア毎に接続して信号伝送ラインをそれぞれ形成することができる。
【００２２】
このように構成された本発明の一実施例によるナースコール装置において、以下、その動作を具体的に説明する。
【００２３】
図１のシステム構成図に示すように、病院内の所定のエリアとされる１階、２階、３階、４階の各フロアのうち、ハンディナース端末２１ａを携帯しながら１階のフロアを巡回中の看護婦が、担当のフロアのみ一斉放送を行なうためにハンディナース端末２１ａの選択ボタン（図示せず）の操作に基づいて一斉放送の起動を示すパラメータを入力すると、入力されたパラメータ（以下、一斉放送起動パラメータと称す）とハンディナース端末２１ａに予め割り当てられているハンディナース端末番号データ「０１」とを付加した（アナログ信号形式の）一斉放送起動信号が、無線基地局３１、基地局接続線Ｌ1cを介してデジタル交換機４０に伝送され、デジタル交換機４０は、ハンディナース端末２１ａからの一斉放送起動信号をＡ／Ｄ変換した後、図２のブロック図に示す交換機接続線Ｌ10をなす制御データ伝送チャンネルＬ10a、ナースコール制御機４１のＩ／Ｆ４１ｂを介してＣＰＵ４１ｃに送出する。
【００２４】
ナースコール制御機４１のＣＰＵ４１ｃは、ハンディナース端末２１ａからの一斉放送起動信号に付加されている一斉放送起動パラメータおよびハンディナース端末番号データ「０１」に基づいてハンディナース端末２１ａからの一斉放送を検出するとともに、図３のテーブル構成図に示すテーブル４１ｄを参照し、ハンディナース端末番号データ「０１」に該当した子機幹線、ここでは、子機幹線Ｌ1aを読み出した後、読み出された子機幹線Ｌ1aに割り当てられ接続されている交換機接続線Ｌ10をなす音声データ伝送チャンネルＬ10bと親機接続線Ｌ1bとの間の信号伝送ラインを形成させるためにＩ／Ｆ４１ｂを制御するとともに、その旨の制御データが付加された（デジタル信号形式の）制御信号を、Ｉ／Ｆ４１ｂ、交換機接続線Ｌ10をなす制御データ伝送チャンネルＬ10aを介してデジタル交換機４０に送出する。
【００２５】
また、ナースコール制御機４１のＩ／Ｆ４１ｂは、ＣＰＵ４１ｃからの一斉放送起動信号をＤ／Ａ変換した後、親機接続線Ｌ1b、主制御部４１ａ、担当するフロアに該当した子機幹線Ｌ1aを介してナースコール子機１ａ、１ｂ、・・・と親機接続線Ｌ1bを介してナースコール親機１１とにそれぞれ送出する。
【００２６】
さらに、ナースコール制御機４１のＣＰＵ４１ｃからの一斉放送起動信号を検出したナースコール子機１ａ、１ｂ、・・・およびナースコール親機１１のうち、ナースコール子機１ａ、１ｂ、・・・では、スピーカ（図示せず）にて一斉放送の内容を鳴動させるための音声報知機能をそれぞれ能動とする、一方、ナースコール親機１１では、上述の一斉放送起動信号が自親機宛ての信号として有効でないと判断（詳述せず）することにより、音声報知機能は非能動のまま保持される。
【００２７】
この後、ハンディナース端末２１ａを携帯しながら１階のフロアを巡回中の看護婦が、一斉放送の内容をマイク（図示せず）を介して入力すると、電気信号に信号変換処理された音声信号が、無線基地局３１、基地局接続線Ｌ1cを介してデジタル交換機４０に伝送され、デジタル交換機４０は、ハンディナース端末２１ａからの音声信号をＡ／Ｄ変換した後、図２のブロック図に示す交換機接続線Ｌ10をなす音声データ伝送チャンネルＬ10bを介してナースコール制御機４１のＩ／Ｆ４１ｂに送出する。
【００２８】
また、ナースコール制御機４１のＩ／Ｆ４１ｂは、ハンディナース端末２１ａからの音声信号をＤ／Ａ変換した後、親機接続線Ｌ1b、主制御部４１ａ、担当するフロアに該当した子機幹線Ｌ1aを介してナースコール子機１ａ、１ｂ、・・・と親機接続線Ｌ1bを介してナースコール親機１１とにそれぞれ送出することにより、ハンディナース端末２１ａを携帯しながら１階のフロアを巡回中の看護婦からの一斉放送の内容を、担当のフロアとされる１階のフロアの病室内に設置されたナースコール子機１ａ、１ｂ、・・・のスピーカ（図示せず）にてそれぞれ鳴動させることができる。
【００２９】
なお、ナースコール親機１１では、音声報知機能が非能動に保持されていることにより、上述のような一斉放送の内容の鳴動は行なわれない。
【００３０】
次に、図１のシステム構成図に示すように、病院内の所定のエリアとされる１階、２階、３階、４階の各フロアのうち、ハンディナース端末２３ａを携帯しながら３階のフロアを巡回中の看護婦が、同フロアでナースコール子機３ａが設置された病室内の患者を呼び出して通話を成立させるために、ハンディナース端末２３ａの呼出ボタン（図示せず）の操作に基づいて呼出先のナースコール子機３ａに該当した子機番号データ（詳述せず）を入力すると、入力された子機番号データとハンディナース端末２３ａに予め割り当てられているハンディナース端末番号データ「２１」とを付加した（アナログ信号形式の）呼出信号が、無線基地局３３、基地局接続線Ｌ3cを介してデジタル交換機４０に伝送され、デジタル交換機４０は、ハンディナース端末２３ａからの呼出信号をＡ／Ｄ変換した後、図２のブロック図に示す交換機接続線Ｌ10をなす制御データ伝送チャンネルＬ10a、ナースコール制御機４１のＩ／Ｆ４１ｂを介してＣＰＵ４１ｃに送出する。
【００３１】
ナースコール制御機４１のＣＰＵ４１ｃは、ハンディナース端末２３ａからの呼出信号に付加されている子機番号データおよびハンディナース端末データ「２１」に基づいてハンディナース端末２３ａからナースコール子機３ａへの呼び出しを検出するとともに、図３のテーブル構成図を参照し、ハンディナース端末番号データ「２１」に該当した子機幹線、ここでは、子機幹線Ｌ3aを読み出した後、読み出された子機幹線Ｌ3aに割り当てられ接続されている交換機接続線Ｌ10をなす音声データ伝送チャンネルＬ10dと親機接続線Ｌ3bとの間の信号伝送ラインを形成させるためにＩ／Ｆ４１ｂを制御するとともに、その旨の制御データが付加された（デジタル信号形式の）制御信号を、Ｉ／Ｆ４１ｂ、交換機接続線Ｌ10をなす制御データ伝送チャンネルＬ10aを介してデジタル交換機４０に送出する。
【００３２】
また、ナースコール制御機４１のＩ／Ｆ４１ｂは、ＣＰＵ４１ｃからの呼出信号をＤ／Ａ変換した後、親機接続線Ｌ3b、主制御部４１ａ、担当するフロアに該当した子機幹線Ｌ3aを介してナースコール子機３ａ、３ｂ、・・・と親機接続線Ｌ3bを介してナースコール親機１３とにそれぞれ送出する。
【００３３】
さらに、ナースコール制御機４１のＣＰＵ４１ｃからの呼出信号を検出したナースコール子機３ａ、３ｂ、・・・およびナースコール親機１３では、呼出信号に付加している子機番号データと自子機および自親機に予め割り当てられている番号データとを照合し、当該番号データが一致していればスピーカ（図示せず）にて呼出音を鳴動させるための呼出報知機能を能動とする。ここでは、ナースコール子機３ａのみ当該番号データが一致し、スピーカ（図示せず）にて呼出音が鳴動されることにより、ハンディナース端末２３ａを携帯しながら病院内を巡回中の看護婦からの呼び出しを、担当のフロアとされる３階のフロアでナースコール３ａが設置された病室内の患者に対して呼出報知させることができるとともに、ナースコール子機３ａの通話機能をなすマイクおよびスピーカ（図示せず）と、子機幹線Ｌ3a、ナースコール制御機４１の主制御部４１ａ、親機接続線Ｌ3b、Ｉ／Ｆ４１ｂ、交換機接続線Ｌ10をなす音声データ伝送チャンネルＬ10d、デジタル交換機４０、基地局接続線Ｌ3c、無線基地局３３を介してハンディナース端末２３ａの通話機能をなすマイクおよびスピーカ（図示せず）との間で形成されている通話ラインを介して電気信号に信号変換処理された音声信号を送受信させることにより、ハンディナース端末２３ａを携帯しながら病院内を巡回中の看護婦と、担当のフロアとされる３階のフロアでナースコール子機３ａが設置された病室内の患者との双方向通話を成立させることができる（詳述せず）。
【００３４】
なお、図３のテーブル構成図に示すナースコール制御機４１のテーブル４１ｄの内容、すなわち、１階、２階、３階、４階のフロア毎、ナースコール子機１ａ、１ｂ、・・・、２ａ、２ｂ、・・・、３ａ、３ｂ、・・・、４ａ、４ｂ、・・・に接続される子機幹線Ｌ1a、Ｌ2a、Ｌ3a、Ｌ4aと担当のハンディナース端末２１ａ、２１ｂ、・・・、２２ａ、２２ｂ、・・・、２３ａ、２３ｂ、・・・、２４ａ、２４ｂ、・・・との割り当ては、看護婦の勤務帯の変更時等において適宜、変更することもできる（詳述せず）。
【００３５】
【発明の効果】
以上の説明から明らかなように、本発明のナースコール装置によれば、各フロアの病室内に設置されたナースコール子機を接続する子機幹線のそれぞれを、当該ナースコール装置の動作を制御するナースコール制御機のテーブルを参照して、各フロアを巡回中の看護婦によって携帯されたハンディナース端末からの呼び出しに応じて担当させることが可能となり、ハンディナース端末から担当のフロアのみに一斉放送を行なうことができる。
【図面の簡単な説明】
【図１】  本発明の一実施例によるナースコール装置のシステム構成図である。
【図２】  本発明の一実施例によるナースコール装置をなすナースコール制御機の具体的な構成を示すブロック図である。
【図３】  本発明の一実施例によるナースコール装置をなすナースコール制御機のテーブルの構成を示すテーブル構成図である。
【図４】  従来例のナースコール装置のシステム構成図である。
【図５】  従来例のナースコール装置をなすナースコール制御機の具体的な構成を示すブロック図である。
【符号の説明】
１ａ、１ｂ、・・・、２ａ、２ｂ、・・・、３ａ、３ｂ、・・・、４ａ、４ｂ、・・・ ……ナースコール子機
１１、１２、１３、１４……ナースコール親機
２１ａ、２１ｂ、・・・、２２ａ、２２ｂ、・・・、２３ａ、２３ｂ、・・・、２４ａ、２４ｂ、・・・ ……ハンディナース端末
４０……デジタル交換機
４１……ナースコール制御機
４１ｃ……ＣＰＵ
４１ｄ……テーブル
Ｌ10……デジタル接続線
Ｌ1a、Ｌ2a、Ｌ3a、Ｌ4a……子機幹線
【図１】
0004704619.tif 000002
【図２】
0004704619.tif 000003
【図３】
0004704619.tif 000004
【図４】
0004704619.tif 000005
【図５】
0004704619.tif 000006